(57)【要約】【課題】テーブルに着座した人がその状態で再生音をよく聞くことができ、且つ、その音が使用環境外へ広がり難いようにする。【解決手段】天板１と、それを支える脚部２とを備えたテーブルにおいて、入力された音信号を、天板１の厚み方向に沿った振動に変換し、天板１がスピーカの振動板となるように天板１に伝える加振手段５が設けられている。【選択図】図１
2007167304.tif 000002
【特許請求の範囲】
【請求項１】
天板と、それを支える脚部とを備えたテーブルであって、
入力された音信号を、前記天板の厚み方向に沿った振動に変換し、前記天板がスピーカの振動板となるように前記天板に伝える加振手段が設けられているテーブル。
【請求項２】
前記加振手段に音信号を入力自在な音入力手段が設けられている請求項１に記載のテーブル。
【請求項３】
前記音入力手段は、無指向性マイクロフォンであり、振動緩和部材を介して前記天板に取り付けられている請求項２に記載のテーブル。
【請求項４】
ハウリング抑制手段が設けられている請求項２又は３に記載のテーブル。
【請求項５】
前記天板には、その外縁部に、平面視において人が入り込める凹入部が形成されている請求項１〜４の何れか一項に記載のテーブル。
【発明の詳細な説明】
【技術分野】
【０００１】
本発明は、例えば、会議や打合せや食事や喫茶の際に使用されるテーブルに関し、更に詳しくは、天板と、それを支える脚部とを備えたテーブルに関する。
【背景技術】
【０００２】
従来、この種のテーブルとしては、図６に示すように、マイクロフォン１０やスピーカ１１を、各着座位置に対応させて天板１上に取り付けてあるものがあった（例えば、特許文献１参照）。
そして、他にテレビモニターやカメラも取り付けられて、遠隔地どうしでのテレビ会議等に用いることができるように構成されており、スピーカ１１に関しては、天板１周縁側に座った人Ｐの頭が位置する方向に音が発せられるように取り付けられていた。
【０００３】
【特許文献１】特開昭６２−１６７５０６号公報
【発明の開示】
【発明が解決しようとする課題】
【０００４】
上述した従来のテーブルによれば、図６に示すように、天板１上に取り付けられたスピーカ１１は、着座している人Ｐに対して音が聞き取り易いように取り付けられているから、該当する人Ｐはスピーカ１１の再生音を聞き易いものの、その音は、その人Ｐの後方にも広がり、結果的には、テーブルの外周側に漏れる。
これは、会議室のように、一つのテーブルのみが設置されていて、その会議だけで使用される場合には、何ら問題がないが、例えば、一室に複数のテーブルが設置されており、夫々が、独立して使用されるような場合には、各テーブルのスピーカ再生音が干渉し合い、それぞれ聞き取り難くなる問題点がある。
このような不具合が生じる使用状態は、例えば、複数のテーブルが設置された打合せ室や会議室、又は、レストランや喫茶店等の環境で、スピーカから、各人の発言や、ＢＧＭを流すような状況が一例として挙げられる。即ち、暗騒音のある部屋内での各人の発言を、若干の拡声を施して再生音として流すことで明瞭に聞き取れるようにしたり、各テーブル毎にＢＧＭを流して楽しめるようにする使用形態が挙げられる。
【０００５】
従って、本発明の目的は、上記問題点を解消し、テーブルに着座した人がその状態で再生音をよく聞くことができ、且つ、その音が使用環境外へ広がり難いテーブルを提供するところにある。
【課題を解決するための手段】
【０００６】
本発明の第１の特徴構成は、天板と、それを支える脚部とを備えたテーブルであって、
入力された音信号を、前記天板の厚み方向に沿った振動に変換し、前記天板がスピーカの振動板となるように前記天板に伝える加振手段が設けられているところにある。
【０００７】
本発明の第１の特徴構成によれば、入力された音信号を、前記加振手段によって天板の厚み方向に沿った振動に変換して、天板がスピーカの振動板となるように伝えることができるから、所謂「フラットパネルスピーカ」の原理を使用した音再生を、テーブルで実現することが可能となる。
そして、天板から発せられる再生音は、天板の厚み方向（上方・下方）に沿って伝達されるものの、天板の平面範囲外のゾーンへの広がりは極端に少なくなり、当該テーブルを囲んだ近接位置では、再生音をよく聞くことができながら、少し離れると殆ど再生音が聞こえなくなり、極めて隠蔽性の高い音再生が実現する。
その結果、一室に一つのテーブルを設置してテレビ会議を行うような場合は勿論のこと、一室に複数のテーブルを設置して、それぞれ個別の打合せや会議を行うような場合でも、それぞれの席で、対応したテーブルでの再生音のみを聞き易い状態で聞くことができる。そして、また、レストランや喫茶店等においては、環境下に暗騒音があっても、同席した人の声を若干拡声して天板から発生することで、非常に聞き取り易くなったり、又は、各テーブル毎に、任意のＢＧＭを再生しても、隣接するテーブルどうしでの干渉がほとんど無くなり、極めて使い勝手が良くなる。
【０００８】
本発明の第２の特徴構成は、前記加振手段に音信号を入力自在な音入力手段が設けられているところにある。
【０００９】
本発明の第２の特徴構成によれば、本発明の第１の特徴構成による上述の作用効果を叶えることができるのに加えて、例えば、マイクロフォンや音楽再生器（例えば、カセットプレーヤ、ＣＤプレーヤ、ＤＶＤプレーヤ、レコードプレーヤ、再生機能付きコンピュータ等）で代表されるような音入力手段（音信号を加振手段に入力できる手段）を使用して、前記加振手段による天板の振動によって発生することができ、別途、音楽再生器を用意する必要が無くなる。
【００１０】
本発明の第３の特徴構成は、前記音入力手段は、無指向性マイクロフォンであり、振動緩和部材を介して前記天板に取り付けられているところにある。
【００１１】
本発明の第３の特徴構成によれば、本発明の第１又は２の特徴構成による上述の作用効果を叶えることができるのに加えて、無指向性マイクロフォンで、広い領域からの声を集音して、前述の各プロセスによって再生することができる。そして、振動緩和部材によって、天板の振動がマイクロフォンに伝わることによるハウリングやノイズの発生を未然に防止することが可能となる。
【００１２】
本発明の第４の特徴構成は、ハウリング抑制手段が設けられているところにある。
【００１３】
本発明の第４の特徴構成によれば、本発明の第１〜３の何れかの特徴構成による上述の作用効果を叶えることができるのに加えて、天板振動による再生音のボリューム大きめに設定しても、前記ハウリング抑制手段によって、天板からマイクロフォンへの音のショートパスによるハウリングを抑制することが可能となる。従って、大きな音でより確実に情報を聞き取ることが可能となる。
【００１４】
本発明の第５の特徴構成は、前記天板には、その外縁部に、平面視において人が入り込める凹入部が形成されているところにある。
【００１５】
本発明の第５の特徴構成によれば、本発明の第１〜４の何れかの特徴構成による上述の作用効果を叶えることができるのに加えて、前記凹入部を設けてあることで、着座した人が天板の中央側に少しでも近付くことができ、直進性のよい再生音を、より確実に聞くことが可能となる。
【発明を実施するための最良の形態】
【００１６】
以下に本発明の実施の形態を図面に基づいて説明する。尚、図面において従来例と同一の符号で表示した部分は、同一又は相当の部分を示している。
【００１７】
図１、図２は、本発明のテーブルの一実施形態品を示すもので、このテーブルＴは、天板１と、それを支える脚部２とを備えて構成してあり、更に、複数のマイクロフォン（音入力手段の一例）３、及び、各マイクロフォン３からの音信号を受け入れて再生する為の再生用アンプ４、及び、再生用アンプ４からの信号を、前記天板１の厚み方向に沿った振動に変換し、前記天板１がスピーカの振動板となるように前記天板１に伝える加振手段５が設けられている。
そして、当該実施形態においては、一例として、喫茶室内に間隔をあけて複数設けられている状態を例に挙げて説明する。
【００１８】
前記天板１は、所定の厚みの木製円形板で構成してある。外周部に複数人が着座できるように構成してあり、それぞれの着座位置に対応する箇所に、前記各マイクロフォン３を取り付けてある。
また、天板１の中央裏面側には、前記再生用アンプ４、及び、加振手段５が取り付けられている。
【００１９】
前記マイクロフォン３は、無指向性マイクロフォンで構成され、図３に示すように、振動緩和部材６を介して前記天板１の設置孔１ａ内に取り付けられている。
前記振動緩和部材６とは、柔軟性に富んだものが好ましく、例えば、各種発泡体や、ゴム体や、布や、紐体等が例として挙げられる。
また、前記マイクロフォン３の上端部は、前記天板１の上面より、若干低い位置となるように前記設置孔１ａ内に納められており、更には、設置孔１ａの開口部には、音の通過を許容する有孔板で構成されたキャップ７が着脱自在に設けられている。
そして、マイクロフォン３は、前記アンプ４に電気的に接続されている。
従って、天板１上での会話等の音を、前記マイクロフォン３で広範囲に集音して前記アンプ４へ入力することができる。また、天板１上に突出してないから、天板上で引っ掛かると言った障害が生じ難い。
尚、無指向性マイクロフォンを使用しているから、着座位置から多少ずれた位置に人が座ったとしても、充分、その声を受けることができる。
【００２０】
前記再生用アンプ４は、図２に示すように、プリアンプ部とパワーアンプ部とを備えており、プリアンプ部には、イコライザー処理や、ハウリング抑制処理等を行う音調制御部（ハウリング抑制手段の一例）４ａを備えている。また、プリアンプ部には、出力音量の調整を行う音量制御部４ｂを備えている。
尚、当該実施形態のように、喫茶室等の環境下においては、他のテーブルでの人の話し声や、茶器やスプーン等からの音や、空調装置からの音等、暗騒音があり、同じテーブルに同席した人の声が聞こえ難い場合がある。このような状況でも、人の声を、若干量拡声することで、不自然さを感じない状態でハッキリ聞き取れるようになる。
因みに、暗騒音もマイクロフォンから入力されるから、前記音調制御部４ａによって、人の話し声の周波数域（１００〜８０００Ｈｚ）以外の音をフィルタリングしたり、逆に、人の話し声の周波数域の音を増幅する等の処理を施してもよい。
また、ハウリング抑制処理に関しては、テーブルの設置環境に応じてハウリングの中心周波数が変化するが、例えば、ハウリングの初期段階でフィードバックによって立ち上がり始める周波数域を検知して、その周波数域の音を低減する等の手法によってハウリング抑制を図ることが可能となる。
【００２１】
前記加振手段５は、再生用アンプ４からの電気信号を直接機械エネルギーに変換する機能を持った圧電素子を駆動源としたもので、これを天板１に張り付けて接触する板面を共鳴させることで音を響かせることができる。従って、当該加振手段５と天板１とによって所謂「フラットパネルスピーカ」が構成される。この種のスピーカは、ボイスコイルによって円錐形状のコーンを振動させるタイプのスピーカに比べて、音の直進性が良好で、図４に示すように、振動板の直上に音圧レベルの高い領域ができ易い。
【００２２】
本実施形態のテーブルＴによれば、着座した人の話し声が暗騒音で聞こえ難い場合でも、その声は、マイクロフォンから入力され、再生用アンプ４を経て加振手段５で振動に変換され、天板１全体を振動板としたスピーカで、そのテーブル近傍の人によく伝わり、大きな声を出さずに楽に会話することができる。また、それらの音は、他のテーブルには伝わり難いから、他のテーブルでの会話を損ねることがない。また、入力信号が音楽である場合は、各テーブルで、別々の音楽を聴いても、干渉し合わないので、間仕切り等を設けずに楽しむことができる。
【００２３】
〔別実施形態〕
以下に他の実施の形態を説明する。
【００２４】
〈１〉  当該テーブルＴは、先の実施形態で説明した喫茶室のテーブルに限るものではなく、あらゆる箇所に設置して効果を発揮することができ、例えば、会議室や打合せ室や食堂や他の飲食店や図書館等、広範囲に使用することが可能である。
また、加振手段５に入力する音信号は、先の実施形態で説明したマイクロフォンからのものに限るものではなく、例えば、カセットプレーヤ、ＣＤプレーヤ、ＤＶＤプレーヤ、レコードプレーヤ、再生機能付きコンピュータ、ラジオ、テレビ等の音楽再生器からのものであってもよく、即ち、音入力手段としては、マイクロフォンに限らず上述の各音楽再生器であってもよい。それらを含めて、音入力手段と総称する。
〈２〉  前記テーブルＴは、先の実施形態で説明した円板形状の天板１を備えたものに限るものではなく、例えば、矩形形状や、楕円形状や、環状形状であってもよい。
また、図５に示すように、前記天板１の外縁部に、平面視において人が入り込める凹入部８が形成してあってもよく、この場合は、着座した人が天板１の中心側へ寄った位置で音を聞くことができるから、フラットパネルスピーカの直進性の高い音の領域に身をおいて、より良好な状態で聞くことができるようになる。
〈３〉  前記加振手段５は、先の実施形態で説明したように、天板１の裏面中央部に一つ設けることに限るものではなく、例えば、複数箇所に設けるものであってもよい。また、天板１の表面側に取り付けものであってもよい。
【００２５】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２６】
【図１】テーブルを示す斜視図
【図２】テーブルの側面図
【図３】マイクロフォンの取付状況を示す要部断面図
【図４】スピーカの音圧レベルを示す説明図
【図５】別実施形態のテーブルを示す上面図
【図６】従来のテーブルを示す側面図
【符号の説明】
【００２７】
１      天板
２      脚部
３      マイクロフォン（音入力手段の一例）
４ａ    音調制御部（ハウリング抑制手段の一例）
５      加振手段
６      振動緩和部材
８      凹入部
【図１】
2007167304.tif 000003
【図２】
2007167304.tif 000004
【図３】
2007167304.tif 000005
【図４】
2007167304.tif 000006
【図５】
2007167304.tif 000007
【図６】
2007167304.tif 000008